【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】
主走査方向及び副走査方向の双方で異なる位置に配置された複数の発光部を有する光源手段と、該複数の発光部から各々出射した複数の光束を偏向反射する偏向面を有する回転多面鏡と、該光源手段から該回転多面鏡に至る光路中に配置され、該複数の光束を収束光束又は発散光束に変換する第１の光学系と、該回転多面鏡で偏向された複数の光束を、主走査方向に沿った回転軸を有するドラム状の被走査面上に結像させる第３の光学系と、を有するマルチビーム光走査装置であって、
副走査断面内において、該被走査面に入射する各々の光束は、それらの主光線が該被走査面の法線に対してそれぞれ有限な角度を成すように入射することによって、該被走査面上の各光束の結像点間に相対的に主走査方向に平行な第１の方向に生じる位置ずれ量の最大値をδＹ１、
主走査方向において、収束光束又は発散光束が該第３の光学系に入射することによって、該被走査面上の各光束の結像点間に相対的に主走査方向に平行な第２の方向に生じる位置ずれ量の最大値をδＹ２、
該複数の発光部から出射する光束は相対的な波長差を有し、その相対的な波長差によって被走査面上の各光束の結像点間に相対的に主走査方向に平行な第３の方向に生じる位置ずれ量の最大値をδＹ３とするとき、
｜δＹ１＋δＹ２＋δＹ３｜≦ＭＡＸ（｜δＹ１｜、｜δＹ２｜、｜δＹ３｜）
（但しＭＡＸ（｜δＹ１｜、｜δＹ２｜、｜δＹ３｜）はδＹ１、δＹ２、
δＹ３のうちの絶対値の最も大きい値である。）
を満足することを特徴とするマルチビーム光走査装置。
【請求項２】
前記位置ずれ量δＹ１、δＹ２、δＹ３を各々ｍｍ単位で表わしたとき、
｜δＹ１＋δＹ２＋δＹ３｜≦０．０１４（ｍｍ）
を満足することを特徴とする請求項１記載のマルチビーム光走査装置。
【請求項３】
δＹ１×（δＹ２＋δＹ３）＜０
を満足することを特徴とする請求項１又は２記載のマルチビーム光走査装置。
【請求項４】
主走査方向及び副走査方向の双方で異なる位置に配置された複数の発光部を有する光源手段と、該複数の発光部から各々出射した複数の光束を偏向反射する偏向面を有する回転多面鏡と、該光源手段から該回転多面鏡に至る光路中に配置され、該複数の光束を収束光束又は発散光束に変換する第１の光学系と、該回転多面鏡で偏向された複数の光束を、主走査方向に沿った回転軸を有するドラム状の被走査面上に結像させる第３の光学系と、を有するマルチビーム光走査装置であって、
副走査断面内において、該被走査面に入射する各々の光束は、それらの主光線が該被走査面の法線に対してそれぞれ有限な角度を成すように入射することによって、被走査面上の各光束の結像点間に相対的に主走査方向に平行な第１の方向に位置ずれが生じ、
さらに主走査方向において収束光束又は発散光束が第３の光学系に入射することによって、該被走査面上の各光束の結像点間に相対的に主走査方向に平行で第２の方向に位置ずれが生じ、
さらに該複数の発光部から出射する光束は相対的な波長差を有し、その相対的な波長差によって被走査面上の各光束の結像点間に相対的に主走査方向に平行な第３の方向に位置ずれが生じ、
該複数の発光部の数をＮ、
該第１の光学系から出射した複数の光束の主光線と、該第３の光学系の光軸と
のなす角度の平均値をγ、
該第１の光学系の焦点距離をｆｃｏｌ、
該複数の発光部の間隔をｄ、
副走査断面内における、該被走査面に入射する複数の光束の主光線が該被走査面の法線に対して成す角度の平均値をβ、
該回転多面鏡の内接円半径をｒ、
該回転多面鏡によって偏向走査される複数の光束の最大走査角度をη、
主走査断面内における、該第３の光学系によって被走査面上を走査される複数の光束の最大走査位置における該被走査面の法線と複数の光束とのなす角度をθｍａｘ、
該複数の発光部から出射した複数の光束の相対的な波長差の最大値をδλ、
該第３の光学系の光出射側主平面から該第１の光学系によって変換された収束光束又は発散光束の自然集束点までの距離をＳｄ、
該第３の光学系の光出射側主平面から該第１の光学系によって変換された収束光束又は発散光束が該第３の光学系によって収束されて結像される位置までの距離をＳｋ、
該第３の光学系のｆθ係数をｆ、
解像度から決定される複数の光束の被走査面上における副走査方向の結像点の間隔をＰ、とするとき、
【数１】
2004302062.tif 000001
なる条件式を満足することを特徴とするマルチビーム光走査装置。
【請求項５】
前記第２の方向と第３の方向は、いずれも前記第１の方向に対して反対方向であることを特徴とする請求項１乃至４の何れか１項に記載のマルチビーム光走査装置。
【請求項６】
前記第１の光学系を通過した複数の光束を前記回転多面鏡の反射面に主走査方向に延びる線状に結像させる第２の光学系を有することを特徴とする請求項１乃至５の何れか１項に記載のマルチビーム光走査装置。
【請求項７】
請求項１乃至６の何れか１項に記載のマルチビーム光走査装置と、前記被走査面に配置された感光体と、前記マルチビーム光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項８】
請求項１乃至６の何れか１項に記載のマルチビーム光走査装置と、外部機器から入力したコードデータを画像信号に変換して前記マルチビーム光走査装置に入力せしめるプリンタコントローラとを有していることを特徴とする画像形成装置。
【請求項９】
各々が請求項１乃至６の何れか１項に記載のマルチビーム光走査装置の被走査面に配置され、互いに異なった色の画像を形成する複数の像担持体とを有することを特徴とするカラー画像形成装置。
【請求項１０】
外部機器から入力した色信号を異なった色の画像データに変換して各々のマルチビーム光走査装置に入力せしめるプリンタコントローラを有していることを特徴とする請求項９記載のカラー画像形成装置。
【手続補正２】
【補正対象書類名】明細書
【補正対象項目名】００１２
【補正方法】変更
【補正の内容】
【００１２】
【課題を解決するための手段】
本発明のマルチビーム光走査装置は、  主走査方向及び副走査方向の双方で異なる位置に配置された複数の発光部を有する光源手段と、該複数の発光部から各々出射した複数の光束を偏向反射する偏向面を有する回転多面鏡と、該光源手段から該回転多面鏡に至る光路中に配置され、該複数の光束を収束光束又は発散光束に変換する第１の光学系と、該回転多面鏡で偏向された複数の光束を、主走査方向に沿った回転軸を有するドラム状の被走査面上に結像させる第３の光学系と、を有するマルチビーム光走査装置であって、
副走査断面内において、該被走査面に入射する各々の光束は、それらの主光線が該被走査面の法線に対してそれぞれ有限な角度を成すように入射することによって、該被走査面上の各光束の結像点間に相対的に主走査方向に平行な第１の方向に生じる位置ずれ量の最大値をδＹ１、
主走査方向において、収束光束又は発散光束が該第３の光学系に入射することによって、該被走査面上の各光束の結像点間に相対的に主走査方向に平行な第２の方向に生じる位置ずれ量の最大値をδＹ２、
該複数の発光部から出射する光束は相対的な波長差を有し、その相対的な波長差によって被走査面上の各光束の結像点間に相対的に主走査方向に平行な第３の方向に生じる位置ずれ量の最大値をδＹ３とするとき、
｜δＹ１＋δＹ２＋δＹ３｜≦ＭＡＸ（｜δＹ１｜、｜δＹ２｜、｜δＹ３｜）
（但しＭＡＸ（｜δＹ１｜、｜δＹ２｜、｜δＹ３｜）はδＹ１、δＹ２、
δＹ３のうちの絶対値の最も大きい値である。）
を満足することを特徴としている。
この他本発明のマルチビーム光走査装置は、主走査方向及び副走査方向の双方で異なる位置に配置された複数の発光部を有する光源手段と、該複数の発光部から各々出射した複数の光束を偏向反射する偏向面を有する回転多面鏡と、該光源手段から該回転多面鏡に至る光路中に配置され、該複数の光束を収束光束又は発散光束に変換する第１の光学系と、該回転多面鏡で偏向された複数の光束を、主走査方向に沿った回転軸を有するドラム状の被走査面上に結像させる第３の光学系と、を有するマルチビーム光走査装置であって、
副走査断面内において、該被走査面に入射する各々の光束は、それらの主光線が該被走査面の法線に対してそれぞれ有限な角度を成すように入射することによって、被走査面上の各光束の結像点間に相対的に主走査方向に平行な第１の方向に位置ずれが生じ、
さらに主走査方向において収束光束又は発散光束が第３の光学系に入射することによって、該被走査面上の各光束の結像点間に相対的に主走査方向に平行で第２の方向に位置ずれが生じ、
さらに該複数の発光部から出射する光束は相対的な波長差を有し、その相対的な波長差によって被走査面上の各光束の結像点間に相対的に主走査方向に平行な第３の方向に位置ずれが生じ、
該複数の発光部の数をＮ、
該第１の光学系から出射した複数の光束の主光線と、該第３の光学系の光軸と
のなす角度の平均値をγ、
該第１の光学系の焦点距離をｆｃｏｌ、
該複数の発光部の間隔をｄ、
副走査断面内における、該被走査面に入射する複数の光束の主光線が該被走査面の法線に対して成す角度の平均値をβ、
該回転多面鏡の内接円半径をｒ、
該回転多面鏡によって偏向走査される複数の光束の最大走査角度をη、
主走査断面内における、該第３の光学系によって被走査面上を走査される複数の光束の最大走査位置における該被走査面の法線と複数の光束とのなす角度をθｍａｘ、
該複数の発光部から出射した複数の光束の相対的な波長差の最大値をδλ、
該第３の光学系の光出射側主平面から該第１の光学系によって変換された収束光束又は発散光束の自然集束点までの距離をＳｄ、
該第３の光学系の光出射側主平面から該第１の光学系によって変換された収束光束又は発散光束が該第３の光学系によって収束されて結像される位置までの距離をＳｋ、
該第３の光学系のｆθ係数をｆ、
解像度から決定される複数の光束の被走査面上における副走査方向の結像点の間隔をＰ、とするとき、
【数２】
2004302062.tif 000002
なる条件式を満足することを特徴としている。
【手続補正３】
【補正対象書類名】明細書
【補正対象項目名】０１６９
【補正方法】変更
【補正の内容】
【０１６９】
［実施態様１］
主走査方向及び副走査方向の双方で異なる位置に配置された複数の発光部を有する光源手段と、該複数の発光部から各々出射した複数の光束を偏向反射する偏向面を有する回転多面鏡と、該光源手段から該回転多面鏡に至る光路中に配置され、該複数の光束を収束光束又は発散光束に変換する第１の光学系と、該回転多面鏡で偏向された複数の光束を、主走査方向に沿った回転軸を有するドラム状の被走査面上に結像させる第３の光学系と、を有するマルチビーム光走査装置であって、
副走査断面内において、該被走査面に入射する各々の光束は、それらの主光線が該被走査面の法線に対してそれぞれ有限な角度を成すように入射することによって、該被走査面上の各光束の結像点間に相対的に主走査方向に平行な第１の方向に生じる位置ずれ量の最大値をδＹ１、
主走査方向において、収束光束又は発散光束が該第３の光学系に入射することによって、該被走査面上の各光束の結像点間に相対的に主走査方向に平行な第２の方向に生じる位置ずれ量の最大値をδＹ２、
該複数の発光部から出射する光束は相対的な波長差を有し、その相対的な波長差によって被走査面上の各光束の結像点間に相対的に主走査方向に平行な第３の方向に生じる位置ずれ量の最大値をδＹ３とするとき、
｜δＹ１＋δＹ２＋δＹ３｜≦ＭＡＸ（｜δＹ１｜、｜δＹ２｜、｜δＹ３｜）
（但しＭＡＸ（｜δＹ１｜、｜δＹ２｜、｜δＹ３｜）はδＹ１、δＹ２、
δＹ３のうちの絶対値の最も大きい値である。）
を満足することを特徴とするマルチビーム光走査装置。
【手続補正４】
【補正対象書類名】明細書
【補正対象項目名】０１７２
【補正方法】変更
【補正の内容】
【０１７２】
［実施態様４］
主走査方向及び副走査方向の双方で異なる位置に配置された複数の発光部を有する光源手段と、該複数の発光部から各々出射した複数の光束を偏向反射する偏向面を有する回転多面鏡と、該光源手段から該回転多面鏡に至る光路中に配置され、該複数の光束を収束光束又は発散光束に変換する第１の光学系と、該回転多面鏡で偏向された複数の光束を、主走査方向に沿った回転軸を有するドラム状の被走査面上に結像させる第３の光学系と、を有するマルチビーム光走査装置であって、
副走査断面内において、該被走査面に入射する各々の光束は、それらの主光線が該被走査面の法線に対してそれぞれ有限な角度を成すように入射することによって、被走査面上の各光束の結像点間に相対的に主走査方向に平行な第１の方向に位置ずれが生じ、
さらに主走査方向において収束光束又は発散光束が第３の光学系に入射することによって、該被走査面上の各光束の結像点間に相対的に主走査方向に平行で第２の方向に位置ずれが生じ、
さらに該複数の発光部から出射する光束は相対的な波長差を有し、その相対的な波長差によって被走査面上の各光束の結像点間に相対的に主走査方向に平行な第３の方向に位置ずれが生じ、
該複数の発光部の数をＮ、
該第１の光学系から出射した複数の光束の主光線と、該第３の光学系の光軸と
のなす角度の平均値をγ、
該第１の光学系の焦点距離をｆｃｏｌ、
該複数の発光部の間隔をｄ、
副走査断面内における、該被走査面に入射する複数の光束の主光線が該被走査面の法線に対して成す角度の平均値をβ、
該回転多面鏡の内接円半径をｒ、
該回転多面鏡によって偏向走査される複数の光束の最大走査角度をη、
主走査断面内における、該第３の光学系によって被走査面上を走査される複数の光束の最大走査位置における該被走査面の法線と複数の光束とのなす角度をθｍａｘ、
該複数の発光部から出射した複数の光束の相対的な波長差の最大値をδλ、
該第３の光学系の光出射側主平面から該第１の光学系によって変換された収束光束又は発散光束の自然集束点までの距離をＳｄ、
該第３の光学系の光出射側主平面から該第１の光学系によって変換された収束光束又は発散光束が該第３の光学系によって収束されて結像される位置までの距離をＳｋ、
該第３の光学系のｆθ係数をｆ、
解像度から決定される複数の光束の被走査面上における副走査方向の結像点の間隔をＰ、とするとき、
【数３】
2004302062.tif 000003
なる条件式を満足することを特徴とするマルチビーム光走査装置。
【手続補正５】
【補正対象書類名】明細書
【補正対象項目名】０１７３
【補正方法】削除
【補正の内容】
【手続補正６】
【補正対象書類名】明細書
【補正対象項目名】０１７４
【補正方法】削除
【補正の内容】